(57)【要約】【課題】送電用鉄塔上でのジャンパー線接続作業に際してロープにより圧縮接続器を吊り下げることなく、腕金に固定した専用の支持装置により圧縮接続器を支持した状態で最適の位置に移動、停止させて、しかも圧縮接続器を作業員が保持することなく少ない労力で接続作業を実施できる。【解決手段】送電用鉄塔から延びる腕金５１に対して着脱自在に固定される固定基部２と、固定基部から下方へ延び、且つ該固定基部により第１の横方向Ａへ進退自在に支持された第１の横方向可動部１０と、第１の横方向可動部によって上下動自在に支持された上下可動部２０と、上下可動部によって第１の横方向と直交する第２の横方向Ｃへ進退自在に支持されて圧縮接続器６０を支持する圧縮接続器支持部３０と、を備え、第１の横方向可動部に沿って上下可動部を手動操作、又は電動機によって上下動させる昇降機構４０を備えている。【選択図】図２
2010172161.tif 000002
【特許請求の範囲】
【請求項１】
送電用鉄塔との間を絶縁碍子により夫々電気的に絶縁された二本の送電線間を電気的に接続するジャンパー線の圧縮接続器を支持する支持装置であって、
前記送電用鉄塔を構成する腕金に対して着脱自在に固定される固定基部と、該固定基部から下方へ延び、且つ該固定基部により第１の横方向へ進退自在に支持された第１の横方向可動部と、該第１の横方向可動部によって上下動自在に支持された上下可動部と、該上下可動部によって前記第１の横方向と直交する第２の横方向へ進退自在に支持されて前記圧縮接続器を支持する圧縮接続器支持部と、を備え、
前記第１の横方向可動部に沿って前記上下可動部を手動操作、又は電動機によって上下動させる昇降機構を備えていることを特徴とする圧縮接続器の支持装置。
【請求項２】
前記固定基部は、前記腕金を構成する二本の並行なアングル材に夫々固定される二個の係止部材と、各係止部材に夫々固定された二本の平行な第１の横方向ガイドレールを備え、
前記第１の横方向可動部は、前記二本の第１の横方向ガイドレールによって第１の横方向へ進退自在に支持された第１の横方向可動部材と、該第１の横方向可動部材から垂下する少なくとも二本の垂下部材と、を備え、
前記上下可動部は、前記各垂下部材に沿って上下動可能に支持された上下可動部材を備え、
前記圧縮接続器支持部は、前記上下可動部材により前記第２の横方向へ進退自在に支持されたスライド部材と、前記圧縮接続器との連結部と、を備えていることを特徴とする請求項１に記載の圧縮接続器の支持装置。
【請求項３】
前記昇降機構は、少なくとも一方の前記垂下部材を棒ネジとすると共に、前記上下可動部材には前記棒ネジと螺合する雌螺子部を備え、
前記棒ネジを回転させる操作レバーを備えていることを特徴とする請求項１、又は２に記載の圧縮接続器の支持装置。
【請求項４】
前記昇降機構は、前記上下可動部材によって回転自在に軸支されたプーリと、該プーリを回転させる操作レバーと、該プーリに一端を固定されると共に該プーリに巻掛けられ、且つ他端を第１の横方向可動部に固定されたワイヤと、から構成されていることを特徴とする請求項１、又は２に記載の圧縮接続器の支持装置。
【発明の詳細な説明】
【技術分野】
【０００１】
本発明は送電用鉄塔上において圧縮接続器を用いて実施されるジャンパー線接続作業を効率化して作業員の労苦を低減し、安全性を高めることができる圧縮接続器の支持装置に関するものである。
【背景技術】
【０００２】
送電用鉄塔から横方向へ突設された腕金に送電線を支持する際には、鉄塔との間の絶縁を確保するために、二本の送電線端部を腕金に固定した絶縁碍子によって夫々支持した状態でジャンパー線によって接続している。
即ち、二本の送電線を鉄塔上において接続する際には、まず図４（ａ）に示すように腕金１００に一端を固定した２つの絶縁碍子１０１、１０２の他端部に夫々送電線１２０と送電線１２１の端部を固定する。次いで、各送電線１２０、１２１の端部と接続したジャンパー線１２２、１２３の端部間をスリーブ１２４を用いて圧着接続することにより接続を完了する。ジャンパー線の端部間をスリーブを用いて圧着する手段として、（ｂ）に示した如き圧縮接続器（電線圧縮接続器）１１０が用いられる。圧着ヘッドは油圧により作動する加圧手段を備え、側面に設けた挿通穴１１１内に配置したスリーブ内に二本のジャンパー線の端部を差し込んだ状態で加圧手段を作動させることによってスリーブを圧着してジャンパー線端部間を電気的機械的に接続する。
【０００３】
圧縮接続器１１０は１０〜１５kg程度の重量物であり、従来は図４（ａ）に示した様に腕金１００からロープ１１５によって吊り下げた状態で、作業員がジャンパー線間の接続部に挿通穴１１１を位置あわせした上で接続作業を行っていた。この際、ジャンパー線間の接続部に圧縮接続器１００の高さ位置、及び横方向位置を調整するためにロープを種々操作（ロープの引出し、引き戻し、移動、固定等）する必要があり、この作業は多大な時間と労力を要する煩雑な作業であった。また、ジャンパー線間の接続位置の判断を誤った場合等、接続位置を変更する必要がある場合における圧縮接続器の位置の微調整も同様に大変な労力を要する作業となっていた。また、作業員が重量物である圧縮接続器を手で保持したままでの接続作業となるため、少しでも手元が狂うとスリーブが曲がる、接続不良等の不具合が発生する虞があった。
特開平０８−０７０５１５号公報には、圧縮接続装置について開示されているが、送電用鉄塔上でのジャンパー線接続作業に際しての位置合わせに好適な圧縮接続装置の支持装置については開示されていない。
また、特開平２００８―１７１６３４公報には電線圧縮接続用スリーブの構造について開示されているが、送電用鉄塔上でのジャンパー線接続作業に際しての位置合わせに好適な圧縮接続器の支持装置については開示されていない。
【特許文献１】特開平０８−０７０５１５号公報
【特許文献２】特開２００８―１７１６３４公報
【発明の開示】
【発明が解決しようとする課題】
【０００４】
以上のように従来圧縮接続器を用いてジャンパー線をスリーブにより圧着接続する場合に、作業員は、鉄塔から突出した腕金からロープを用いて圧縮接続器を吊り下げた状態で、ロープの引出し長さや水平方向位置等を種々調整してジャンパー線の接続位置に合わせてからロープを腕金に固定し、その後二本のジャンパー線の端部を圧縮接続器の挿通穴内に差し込んで圧着作業を実施していた。このため、ロープを操作することによる圧縮接続器の位置決め作業が極めて煩雑であるばかりでなく、重量物である圧縮接続器を保持しながらの接続作業完了に要する時間と労力が多大となっていた。
本発明は上記に鑑みてなされたものであり、送電用鉄塔上でのジャンパー線接続作業に際してロープにより圧縮接続器を吊り下げることなく、腕金に固定した専用の支持装置により圧縮接続器を支持した状態で最適の位置に移動、停止させて、しかも圧縮接続器を作業員が保持することなく少ない労力で接続作業を実施することができる圧縮接続器の支持装置を提供することを目的としている。
【課題を解決するための手段】
【０００５】
上記目的を達成するため、請求項１の発明に係る圧縮接続器の支持装置は、送電用鉄塔との間を絶縁碍子により夫々電気的に絶縁された二本の送電線間を電気的に接続するジャンパー線の圧縮接続器を支持する圧縮接続器の支持装置であって、前記送電用鉄塔から延びる腕金に対して着脱自在に固定される固定基部と、該固定基部から下方へ延び、且つ該固定基部により第１の横方向へ進退自在に支持された第１の横方向可動部と、該第１の横方向可動部によって上下動自在に支持された上下可動部と、該上下可動部によって前記第１の横方向と直交する第２の横方向へ進退自在に支持されて前記圧縮接続器を支持する圧縮接続器支持部と、を備え、前記第１の横方向可動部に沿って前記上下可動部を手動操作、又は電動機によって上下動させる昇降機構を備えていることを特徴とする。
送電用鉄塔の腕金によって送電線を支持する際には、一方の送電線の端部を腕金に支持した絶縁碍子に固定すると共に、他方の送電線の端部を他の絶縁碍子に固定し、更に両送電線間を電気的に接続する手段としてジャンパー線を用いる。各送電線から延びるジャンパー線の端部間は圧縮接続器を用いてスリーブにより圧着接続される。本発明では、圧縮接続器を支持する支持装置を腕金に固定した状態で、圧縮接続器をｘ、ｙ、ｚの三方向へ移動させることを可能としたので、少ない労力にて圧縮接続器をジャンパー線の端部間に移動、位置決めして効率的に接続作業を行うことが可能となる。圧縮接続器の位置の微調整も容易である。
【０００６】
請求項２の発明に係る圧縮接続器の支持装置は、請求項１において、前記固定基部は、前記腕金を構成する二本の並行なアングル材に夫々固定される二個の係止部材と、各係止部材に夫々固定された二本の平行な第１の横方向ガイドレールを備え、前記第１の横方向可動部は、前記二本の第１の横方向ガイドレールによって第１の横方向へ進退自在に支持された第１の横方向可動部材と、該第１の横方向可動部材から垂下する少なくとも二本の垂下部材と、を備え、前記上下可動部は、前記各垂下部材に沿って上下動可能に支持された上下可動部材を備え、前記圧縮接続器支持部は、前記上下可動部材により第２の横方向へ進退自在に支持されたスライド部材と、前記圧縮接続器との連結部と、を備えていることを特徴とする。
請求項３の発明に係る圧縮接続器の支持装置は、請求項１、又は２において、前記昇降機構は、少なくとも一方の前記垂下部材を棒ネジとすると共に、前記上下可動部材には前記棒ネジと螺合する雌螺子部を備え、前記棒ネジを回転させる操作レバーを備えていることを特徴とする。
請求項４の発明に係る圧縮接続器の支持装置は、請求項１、又は２において、前記昇降機構は、前記上下可動部材によって回転自在に軸支されたプーリと、該プーリを回転させる操作レバーと、該プーリに一端を固定されると共に該プーリに巻掛けられ、且つ他端を第１の横方向可動部に固定されたワイヤと、から構成されていることを特徴とする。
【発明の効果】
【０００７】
本発明に係る圧縮接続器の支持装置は、送電用鉄塔から延びる腕金に対して固定される固定基部から下方へ延び、且つ該固定基部により第１の横方向へ進退自在に支持された第１の横方向可動部と、該第１の横方向可動部によって上下動自在に支持された上下可動部と、該上下可動部によって第１の横方向と直交する第２の横方向へ進退自在に支持されて圧縮接続器を支持する圧縮接続器支持部と、を備え、第１の横方向可動部に沿って上下可動部を手動操作、又は電動機によって上下動させる昇降機構を備えているため、送電用鉄塔上でのジャンパー線接続作業に際してロープにより圧縮接続器を吊り下げることなく、腕金に固定した専用の支持装置により圧縮接続器を支持した状態で最適の位置に移動、停止させて、しかも重量物である圧縮接続器を作業員が保持することなく少ない労力で接続作業を実施することができる。
【発明を実施するための最良の形態】
【０００８】
以下、本発明を図面に示した実施の形態により詳細に説明する。
図１は本発明の圧縮接続器を送電用鉄塔の腕金に取り付けた状態を示す説明図であり、図２（ａ）及び（ｂ）は圧縮接続器の取付け状態と構成を示す斜視図、及び正面図である。
圧縮接続器の支持装置１は、送電用鉄塔５０の腕金５１に対して着脱自在に固定された状態で、油圧で作動する圧縮接続器６０を一定の軌道に沿って上下・前後・左右へ移動させることにより、二本の送電線５５、５６と接続された各絶縁碍子５２から夫々延びるジャンパー線５３の端部間をスリーブ５４を用いて圧着接続する作業を効率化、低労力化するための装置である。
即ち、縮接続器の支持装置１は、各腕金５１に対して夫々着脱自在に固定される２個の固定基部２と、各固定基部２から下方へ延び、且つ各固定基部２により腕金５１の長手方向（第１の横方向）Ａへ進退自在に支持された長手方向可動部（第１の横方向可動部）１０と、長手方向可動部１０によって上下方向（縦方向）Ｂへ昇降自在に支持された上下可動部２０と、上下可動部２０によって長手方向Ａと直交する幅方向Ｃ（第２の横方向）へ進退自在に支持されて圧縮接続器６０を支持する圧縮接続器支持部（第２の横方向可動部）３０と、長手方向可動部１０に沿って上下可動部２０を手動操作、又は電動機によって上下動させる昇降機構４０と、を備えている。
【０００９】
各固定基部２は、腕金５１を構成する二本の並行なアングル材５１ａに夫々上端部を固定される二個ずつの係止部材３と、各二個の係止部材３の端部間を連結する二本の平行な長手方向ガイドレール４と、を備えている。
各係止部材３の上端部にはアングル材５１ａに対してボルト、ナットにより固定される固定金具３ａが設けられている。同一のアングル材５１ａに固定される２個の係止部材の下端部間を長手方向ガイドレール４により連結することにより全体として略Ｕ字状の固定基部２が構成されている。
長手方向可動部（第１の横方向可動部）１０は、二本の長手方向ガイドレール（第１の横方向ガイドレール）４によって両端部（スリーブ）を移動自在に支持されることにより長手方向（第１の横方向Ａ）へ進退自在に支持された長手方向可動部材（第１の横方向可動部材）１１と、長手方向可動部材１１から垂下する少なくとも二本の棒状の垂下部材１２と、を備えている。長手方向ガイドレール４上における長手方向可動部材１１及び垂下部材１２の位置決めは、例えば長手方向ガイドレール４に所定ピッチで形成した穴４ａと長手方向可動部材１１側に設けた穴１１ａ内にピン５を差し込むことにより行う。
【００１０】
上下可動部２０は、各垂下部材１２により両端部（スリーブ）を上下動可能に支持された上下可動部材２１を備えている。
圧縮接続器支持部３０は、上下可動部材２１により幅方向へ進退自在に支持されたスライド部材３１と、圧縮接続器６０との連結部３２と、を備えている。スライド部材３１はスリーブ状とし、上下動部材２１の外面に対してスライド自在に係合している。上下動部材上におけるスライド部材３１の幅方向位置決めは、例えば上下動部材２１の側面に所定のピッチで形成した穴２１ａとスライド部材３１に設けた穴３１ａとをピンにより接続することにより行う。
圧縮接続器６０は、挿通穴６２に挿通された二本のジャンパー線５３の各端部をスリーブ５４を用いて圧着させる圧着手段を内部に備えた筒状本体６１を備えており、筒状本体６１の基部６１ａを連結部３２に固定すると共に、基部６１ａにより可動部６１ｂを回転自在に支持する。挿通穴６２を備えた可動部６１ｂが回転自在であることにより、挿通穴と接続対象物との位置合わせが容易となり、作業性を高めることができる。
昇降機構４０は、例えば、少なくとも一方の垂下部材１２（１２ａ）を棒ネジとすると共に、上下可動部材２１の一端部には棒ネジと螺合する雌螺子部２２を備える。更に、棒ネジ１２ａを回転させる操作レバー６を適所（本例では下端部）に備えている。操作レバー６を手動操作により正逆回転させて棒ネジ１２ａを回転させることにより、雌螺子部２２を棒ネジ１２ａと螺合させ、且つ他端部（スリーブ部）２３を他方の垂下部材１２（１２ｂ）と係合させた上下可動部材２１を上下動させることができる。
【００１１】
操作レバー６を上昇方向へ回転させることにより棒ネジ１２ａが上昇方向へ回転して雌螺子部２２を介して駆動力の伝達を受けた上下可動部２０及び圧縮接続器６０が上昇する。逆に、操作レバー６を下降方向へ回転させることにより棒ネジ１２ａが下降方向へ回転して雌螺子部２２を介して駆動力の伝達を受けた上下可動部２０及び圧縮接続器６０が下降する。
なお、二本の垂下部材１２を共に棒ネジとし、一方の棒ネジ１２ａに設けた操作レバー６の操作と連動して他方の棒ネジ１２ｂも回転するように構成すれば、更に昇降動作を安定させることができる。この場合、一方の棒ネジ１２ａの回転時にその回転力を他方の棒ネジ１２ｂに伝達させる伝達機構（例えば、プーリとワイヤから成る機構）を設ければよい。
【００１２】
鉄塔上において作業員が圧縮接続器６０とジャンパー線の接続部とを位置合わせする際には、長手方向可動部１０を長手方向ガイドレール４に沿って移動させることにより圧縮接続器の長手方向位置を確定してから、次に操作レバー６を操作して圧縮接続器の高さ位置を決める。次いで、スライド部材３１を上下動可動部材２１に沿って横方向Ｃへ移動させればよい。更に、圧縮接続器の可動部６１ｂを回転させることにより接続作業性を更に高めることができる。
ジャンパー線の接続部に対する圧縮接続器の位置を微調整する場合には、上記の如き操作により上下・左右・前後位置を修正することにより対応が可能である。
昇降機構は、手動操作により作動するように構成してもよいし、モータ等の電動機により作動するように構成してもよい。或いは、油圧、空気圧により作動するように構成してもよい。
なお、上記実施形態では各固定基部２を構成する２個の係止部材３を一本のアングル材５１ａに固定したが、各固定基部の係止部材３を二本のアングル材５１ａに跨って（交差するように）固定してもよい。即ち、上記実施形態では腕金の長手方向を第１の横方向とし、幅方向を第２の横方向としたが、各固定基部の係止部材３を二本のアングル材５１ａに跨って固定した場合には、腕金５１（アングル材５１ａ）の幅方向が第１の横方向となり、腕金長手方向が第２の横方向となる。このことは、以下の他の実施形態についても同様に当てはまる。
【００１３】
次に、図３は本発明の他の実施形態に係る圧縮接続器支持装置１の構成説明図であり、この圧縮接続器支持装置１は昇降機構の構成が上記実施形態とは異なっている。従って、昇降機構以外の共通する構成については符号のみを付して、重複した説明は省略する。
この昇降機構４０は、上下可動部材２１のスリーブ部２３によって回転自在に軸支されたプーリ４１と、プーリ４１を回転させる操作レバー４２と、プーリ４１に一端を固定されると共にプーリ４１の周面に巻掛けられ、且つ他端を長手方向可動部１０（長手方向可動部材１１）に固定されたワイヤ４３と、から構成されている。
手動操作により操作レバー４２を巻き上げ方向へ回転させることによりプーリ４１が回転してその外周面にワイヤ４３を巻き取ることにより上下可動部２０及び圧縮接続器６０は垂下部材１２に沿って上昇する。上下可動部２０の高さ方向位置決めは、図２の実施形態に示した如き穴とピンとの係止構造を利用すればよい。なお、プーリ４１を図示しないコイルバネ等によって上昇方向へ付勢しておくことにより、操作レバー４２による巻き上げ作業時の労力を軽減することができる。下降時には操作レバーを下降方向へ回転させるが、この際、圧縮接続器の自重により容易に下降させることができる。
鉄塔上において作業員が圧縮接続器６０とジャンパー線の接続部とを位置合わせする際には、人手により長手方向可動部１０を長手方向ガイドレール４に沿って移動させることにより圧縮接続器の長手方向位置を確定してから（ピンにより固定）、次に操作レバー６を操作して圧縮接続器の高さ位置を決める。次いで、スライド部材３１を上下動可動部材２１に沿って横方向Ｃへ移動させればよい。
ジャンパー線の接続部に対する圧縮接続器の位置を微調整する場合には、上記の如き操作により上下・左右・前後位置を修正することにより対応が可能である。
【００１４】
以上のように本発明によれば、圧縮接続器を支持する支持装置を腕金に固定した状態で、圧縮接続器をｘ、ｙ、ｚの三方向（第１の横方向、上下方向、第２の横方向）へ移動させることを可能としたので、少ない労力にて圧縮接続器をジャンパー線の端部間に移動、位置決めして効率的に接続作業を行うことが可能となる。圧縮接続器の位置の微調整も容易である。
【図面の簡単な説明】
【００１５】
【図１】本発明の圧縮接続器を送電用鉄塔の腕金に取り付けた状態を示す説明図である。
【図２】（ａ）及び（ｂ）は圧縮接続器の取付け状態と構成を示す斜視図、及び正面図である。
【図３】本発明の他の実施形態に係る圧縮接続器の支持装置の構成説明図である。
【図４】（ａ）及び（ｂ）は従来例の説明図である。
【符号の説明】
【００１６】
１…圧縮接続器の支持装置、２…固定基部、３…係止部材、４…長手方向ガイドレール（第１の横方向ガイドレール）、５…ピン、６…操作レバー、１０…長手方向可動部（第１の横方向可動部）、１１…長手方向可動部材（第１の横方向可動部材）、１２…垂下部材、２０…上下動部、３０…圧縮接続器支持部、３１…スライド部材、３２…連結部、４０…昇降機構、４１…プーリ、４２…操作レバー、４３…ワイヤ、５０…送電用鉄塔、５１…腕金、５２…絶縁碍子、５３…ジャンパー線、５４…スリーブ、６０…圧縮接続器、６１…筒状本体、６１ａ…基部、６１ｂ…可動部、６２…挿通穴
【図１】
2010172161.tif 000003
【図２】
2010172161.tif 000004
【図３】
2010172161.tif 000005
【図４】
2010172161.tif 000006